(57)【要約】【課題】移動中は杖としての役割を果たす休憩用の椅子であって、構造が簡単であり、一般的な素材を使用して安価に製造でき、軽量でスマートな構造の椅子兼用杖を提供すること。【解決手段】複数の棒状体を長手方向に接続させて杖を構成し、これを分解し並列的に連結した棒状体束の端部を開いて上部に幕状体を掛止し、座部を構成して椅子とする。棒状体は太径部と細径部より成り、太径部の少なくとも一部が筒状体であって、細径部が他の棒状体の筒状体に嵌入して次々に接続する。複数の棒状体を同一形状、同一寸法とし、筒内部のネジ部と他の棒状体の筒外部に設けたネジ部が咬み合って結合する。幕状体は、未使用時に小さくまとめて脚部である筒内、あるいは取っ手部に設けた収納庫に収納できる構成とする。筒状体の胴部曲面に小さく波打つ曲面を配す。【選択図】　　　　　図３
2004049767.tif 000002
【特許請求の範囲】
【請求項１】
複数の棒状体を長手方向に接続させる接続手段を有し、前記棒状体を一の棒状連続体とすることにより杖を構成し、これを分解した複数の棒状体のそれぞれを中央付近で並列状に連結する連結手段を有し、連結した棒状体束の端部を開いて片側を接地させ、残りの片側に座部を構成することにより椅子とする、椅子兼用杖。
【請求項２】
前記複数の棒状体を、太径部と細径部より成り、太径部の少なくとも一部が筒状体であって、一の棒状体の細径部の少なくとも一部が、他の棒状体の筒状体に嵌入され、次々に接続されて一の棒状連続体を形成できるものとした請求項１に記載した椅子兼用杖。
【請求項３】
前記複数の棒状体を同一形状、同一寸法とする請求項１と２に記載した椅子兼用杖。
【請求項４】
前記接続手段を、前記筒状体の筒内部と筒外部に設けた接続部であり、内部の接続部と他の筒状体の外部の接続部が咬み合って結合できるものとした請求項１と２に記載した椅子兼用杖。
【請求項５】
前記連結手段が紐状体の輪であって、脚部のそれぞれに紐状体用の係止部を設けてある請求項１と２と３及び４に記載した椅子兼用杖。
【請求項６】
座部が幕状体であって、幕状体の端を、前記複数の並列状に連結した棒状体束の上端部を広げたものに掛止させて座部として使用可能とし、未使用時は小さくまとめた幕状体が、脚部である筒内、あるいは取っ手部に設けた収納庫に収納できる構成である請求項２と３と４及び５に記載した椅子兼用杖。
【請求項７】
前記筒状体が、胴部曲面に小さく波打つ曲面を配した筒である請求項２と３と４と５及び６に記載した椅子兼用杖。
【発明の詳細な説明】
【０００１】
【発明が属する技術分野】
持ち運びが容易な椅子兼用杖に関するものである。
【０００２】
【従来の技術】
従来より、外出先での移動中に疲れを取るための、携帯用の椅子が数多く考案されている。これらの中には、携帯用であることが移動中の荷物を増やすことにつながらないようにするという配慮から、あるいは移動中にも別の役に立たせるという目的のために、移動中は杖として使用でき、休憩中は椅子として使用できる物が多い。
【０００３】
椅子の形状としては、部材を小さくまとめやすいことから、三脚椅子であることが多く、実開平１−１１０７２７、実開平６−６６３３８、実用新案登録３０２５２８１あるいは実開平７−９１２０と多くの考案がこれを採用している。しかし、これらは、杖として使用する際の形状が三本の椅子脚部を並列的に並べて束ねるものであって，スマートさに欠ける。図面上では細身に描かれているものもあるが、三本を合わせた状態で、なお、細身であるとすれば、一本の脚部は極めて細いものであり、一般的な素材を使った場合に椅子としての強度を保ち得ない。
【０００４】
ステッキの全長を四等分し、結合自在に構成した実開平７−３４７１２が示す考案では分割された棒状体が直列に結合されるため、かなりすっきりとした外観が得られる。しかし、ステッキの全長を四等分しているために、ステッキの全長が一般的なものだとすれば、脚部が極めて短いものとなり、極めて小型の椅子しか作れないことになる。ステッキにした場合に座部が露出していることもスマートさを欠く一因となっている。
【０００５】
これに対し、ステッキの中に椅子を収納しようとする発想があり、その一つとして実用新案登録第３０８３３８０号が挙げられる。この考案によれば、杖の内部に椅子を納めるための空洞があり、そこに内蔵されている三本もしくはそれ以上の脚を持った折りたたみ椅子を取り出して広げることになっている。請求項及び図から判断できる形状は三本が妥当であろう複数の脚を束ねるようにまとめて収納できる筒状容器が杖であることになる。
【０００６】
この場合、前記筒状容器が杖としての一般的な太さ、形状であったとすれば、前記折りたたみ椅子の脚部は非常に細いものとなり、極めて強度のある特殊な素材の使用が求められる。また、逆に椅子の脚部が安心感が得られるだけの太さを持ったものであるとすれば、前記筒状容器、つまり杖は極めて太いものとならざるを得ない。細くても体重を支えられるだけの強度を持つ素材を使用した場合、細い棒状体を椅子脚部に使用することになるため、使用者に心理的な不安感を持たせることになる。一般的な素材を使用し、軽量で安価に製造できる椅子兼用杖が求められる。
【０００７】
また、実用新案登録第３０７２２５９号に示された考案では、脚立自在な脚部と、脚部脚立の制御機能を有しており、この制御機構が、脚部を３本以上に分けて開閉させる第一のバネ機構と脚部の開閉のために筒を僅かに滑動させて脚部に対し離接させる第２のバネ機構と、脚部の開閉を制御する心棒とからなることになっている。請求項及び図から構造の複雑さがうかがえる。
【０００８】
脚部を３本以上に分けて体重を支えうる椅子とするには、分けられた脚部の付け根にはかなりの重量がかかり、分けられた１本の脚部あるいはその付け根には、高い強度が求められる。使用する素材が一般的なものであるとすれば、強度は太さとなって表れる。太さは重さとなって表れ、杖の胴部にもバネあるいは制御のための心棒等を内蔵することから、杖としては全体としてかなり重量のあるものにならざるを得ない。一般的な素材を使用し、単純な構造の、軽量で安価に製造できる椅子兼用杖が求められる。
【０００９】
携帯用の椅子には、この他、脚部を束ねて携帯するものや、杖に取り付けられている座部を倒して椅子として使用するものなどがある。脚部を束ねるものは、束ねた脚部を荷物として持ち運ぶ必要があり、不便である。また、杖に座部を取り付けておくものは、杖から座部が突出してじゃまになる。持ち運びしやすく、単純な構造で安価に製造でき、軽量にしてスマートな構造の椅子兼用杖が求められる。
【００１０】
【発明が解決しようとする課題】
移動中は杖としての役割を果たすところの、休憩用の椅子兼用杖であって、構造が簡単であり、一般的な素材を使用して安価に製造でき、軽量でスマートな構造の椅子兼用杖を提供すること。
【００１１】
【課題を解決するための手段】
本発明は、上記課題の解決のために、複数の棒状体を長手方向に接続させる接続手段を有し、前記棒状体を一の棒状連続体とすることにより、形状が一般的ですっきりした杖を構成する。これを分解した複数の棒状体のそれぞれを中央付近で並列状に連結する連結手段を有し、連結した棒状体束の端部を開いて片側を接地させ、残りの片側に座部を構成することにより椅子とする。
【００１２】
また、前記複数の棒状体を、太径部と細径部より成り、太径部の少なくとも一部が筒状体であって、一の棒状体の細径部の少なくとも一部が、他の棒状体の筒状体に嵌入され、次々に接続されて一の棒状連続体を形成できるものとし、この棒状連続体を杖とする。
【００１３】
また、前記複数の棒状体を同一形状、同一寸法とする。
【００１４】
また、前記接続手段を、前記筒状体の筒内部と筒外部に設けた接続部であり、内部の接続部と外部の接続部が咬み合って結合できるものとする。
【００１５】
また、前記連結手段が紐状体の輪であって、脚部のそれぞれに紐状体用の係止部を設ける。
【００１６】
また、座部が幕状体であって、幕状体の端を、前記複数の並列状に連結した棒状体束の上端部を広げたものに掛止させて座部として使用可能とし、未使用時は小さくまとめた幕状体が、脚部である筒内、あるいは取っ手部に設けた収納庫に収納できる構成とする。
【００１７】
また、前記筒状体が、胴部曲面に小さく波打つ曲面を配したものとする。
【００１８】
【発明の実施の形態】
発明の実施の形態について図を用いて説明する。
図１は実施例１に於ける杖として組み立てられた状態を示す断面図である。本図は三本の棒状体１が次々に長手方向に接続されて棒状連続体１０を形成し、上端に取っ手部２を設け、下部には石突き３を配して杖として組み立てられた状態を示すものである。棒状体１の上部には接続手段４であるナット状体４１が設けられ、棒状体１の下部にはボルト状体４２が設けられる。
【００１９】
一の棒状体１のナット状体４１と他の棒状体１のボルト状体４２が嵌合して棒状連続体１０を形成する。棒状体１の長手方向のほぼ中間部には、椅子として使用する際に棒状体１を並列的に接続するために、連結手段５である係止部Ａ５１を設ける。取っ手部２は空洞になっており、未使用時の、座部６形成するための幕状体６１や、連結手段５として使用する紐状体５２及び石突き３を収納するための収納庫２１とすることが可能である。
【００２０】
図２は、実施例１に於ける椅子として組み立てられた状態を示す斜視図である。連結手段５である紐状体５２が係止部Ａ５１に係止して、三本の棒状体１をまとめて束ねるように連結している。棒状体１は中央部が交差してＸ字状に広げられ、最下端の石突き３が接地し、上端には座部６を構成する幕状体６１が掛止部６２によって掛止される。連結手段５は紐状体５２の他、鈎状体によって掛止することや、棒状体１に突起物と孔を設けておき、孔に突起物を掛けて掛止すること、あるいは突起物どうしを輪でつなぎ合わせるなどが可能である。座部６は幕状体６１の他、平板状やすのこ状の板状であることが可能である。また、幕状体６１は布、網、皮、あるいは合成樹脂膜等であることが可能である。
【００２１】
図３は実施例２に於ける棒状体１を杖として組み立てた状態を示す一部断面を含む斜視図である。棒状体１が筒状体１１であり、筒状体１１が次々に他の筒状体１１に嵌合し、長手方向に接続されて棒状連続体１０を形成した例である。三本の筒状体１１は同一形状、同一寸法であることが可能であり、コスト削減に貢献できる。組み立て作業の際には入れ替わりが自由であり、組み立てに神経を患わされることが無い。最上部の筒状体１１の内部は空洞であって椅子の座部６を構成するための幕状体６１を収納する収納庫１２とすることが可能である。
【００２２】
図４は筒状体１１一部断面を含む斜視図であり、筒状体１１の構造を示すものである。筒状体１１は太径部１１１と細径部１１２に分けられ、筒状体１１の細径部１１２は別の筒状体１１の太径部１１１に挿入可能である。細径部１１２における外側の挿入される部分の任意の場所に接続手段４である外側のネジ部４３と、別の筒状体１１の細径部１１２を挿入した際の、外側のネジ部４３に対応する位置である筒状体１１の内部に、外側のネジ部４３に対応する内側のネジ部４４を設ける。
【００２３】
外側のネジ部４３と内側のネジ部４４が咬み合って、二本の筒状体は長手方向に接続される。筒状体１１の下端部１１３に下端部１１３を保護するための石突き３を配する。石突き３は杖あるいは椅子の接地部であり、使用に当たって下端部１１３の変形、摩耗を防ぐ。摩耗しにくい材質であれば、その範囲で材質を問わない。筒状体１１の長さを二分する付近に連結手段５である紐状体５２を係止するための係止部Ｂ５３を配する。係止部Ｂ５３は筒状体の胴部に埋め込んで目立たなくすることが可能である。
【００２４】
図５は取っ手部２の一部断面を含む斜視図である。取っ手の下部２２は、筒状であって筒状体１１に設けたと同様に外側のネジ部４３が形成され、筒状体１１の内側のネジ部４４と咬み合って固定される。また、取っ手の下部２２は筒状であって、連結手段５である紐状体５２の収納庫２１を兼ね、紐状体５２が収納される。
【００２５】
図６は幕状体６１の斜視図であり、収納するために巻き取られた様子を表している。巻き取られた幕状体６１は、杖として組み立てられた筒状連続体１０の最上部に位置する筒状体１１の収納庫１２、あるいは、取っ手部２に設けた収納庫２１に収納される。
【００２６】
図７は実施例３に於ける筒状体１１の一部断面を含む斜視図であり、筒状体１１の胴部曲面に小さく波打つ曲面７を配したものである。筒状体１１の胴部は小さく波打つ曲面７を配すことにより、折れ曲げ強度を高める。小さく波打つ曲面７は筒状体１１の軸方向にほぼ平行な曲面７１であることや軸に巻き付くような角度を持った曲面７２であることが可能である。筒状体１１の上端部１１４には補強７２１、筒状体１１の中間部１１５には補強７２２を配することにより、筒状体１１の形状を固定し、強度を保つ。
【００２７】
【発明の効果】
本発明は複数の棒状体を長手方向に接続させる接続手段を有し、前記棒状体を一の棒状連続体とすることにより杖を構成し、これを分解した複数の棒状体のそれぞれを中央付近で並列状に連結する連結手段を有し、連結した棒状体束の端部を開いて片側を接地させ、残りの片側に座部を構成することにより椅子とする、椅子兼用杖であるため次の効果を奏する。
【００２８】
全体を一の棒状連続体として、これを杖に使用することから全体の形状がすっきりしており、抵抗感無く持ち歩くことができる。椅子として使用する場合には通常は三本である複数の棒状体の中央付近を束ねるように連結するため、部材の構造及び仕組みが単純で安定した強度が得られる。構造も単純であることから高度な技術を要することなく製造できる。
【００２９】
また、前記複数の棒状体を、太径部と細径部より成り、太径部の少なくとも一部が筒状体であって、一の棒状体の細径部の少なくとも一部が、他の棒状体の筒状体に嵌入され、次々に接続されて一の棒状連続体を形成できるものとした椅子兼用杖であるため次の効果を奏する。
【００３０】
筒状体の太さをさほど太くすることなく、求める長さの脚部用材とすることが出来、複数の棒状体が接続された棒状連続体１０の形状をすっきりした形状にすることが出来き、
【００３１】
また、前記複数の棒状体を同一形状、同一寸法とする椅子兼用杖であるため次の効果を奏する。。
【００３２】
複数の棒状体が同一形状同一寸法であることから、製造する部品数が少なくてすみ、コストの削減に貢献できる。
【００３３】
また、前記接続手段を、前記筒状体の筒内部と筒外部に設けた接続部であり、内部の接続部と外部の接続部が咬み合って結合できるものとした椅子兼用杖であるため次の効果を奏する。
【００３４】
筒状体どうしの接続を簡単な操作により、確実に行うことが出来る。
【００３５】
また、前記連結手段が紐状体の輪であって、脚部のそれぞれに紐状体用の係止部を設けてある椅子兼用杖であるため次の効果を奏する。
【００３６】
紐状体を筒状体の胴部に設けた掛止部に掛止することは容易であり、椅子としての組み立てが容易に行える。
【００３７】
また、座部が幕状体であって、幕状体の端を、前記複数の並列状に連結した棒状体束の上端部を広げたものに掛止させて座部として使用可能とし、未使用時は小さくまとめた幕状体が、脚部である筒内、あるいは取っ手部に設けた収納庫に収納できる構成である椅子兼用杖であるため次の効果を奏する。
【００３８】
幕状体の端を、前記複数の並列状に連結した棒状体の上端部を広げたものに掛止させることは容易であり、椅子としての組み立てが容易に行える。幕状体が筒状体内部に収納できるため、杖として組み立てた時にすっきりした外観が得られる。
【００３９】
また、前記筒状体が、胴部曲面に小さく波打つ曲面を配した筒である椅子兼用杖であるため次の効果を奏する。
【００４０】
脚部である筒状体の胴部曲面に小さく波打つ曲面を配することにより、側面からの力に対し、折り曲げ強度を高めることができ、使用する材料を薄くて軽い物にすることが出来る。
【図面の簡単な説明】
【図１】実施例１の杖として組み立てられた状態を示す断面図である。
【図２】実施例１の椅子として組み立てられた状態を示す斜視図である。
【図３】実施例２の杖として組み立てられた状態を示す、一部断面を含む斜視図である。
【図４】実施例２に於ける筒状体の一部断面を含む斜視図である。
【図５】実施例２の取っ手部の一部断面を含む斜視図である。
【図６】幕状体が巻き取られた状態の斜視図である。
【図７】実施例３に於ける筒状体の一部断面を含む斜視図である。
【符号の説明】
１　棒状体
１０　棒状連続体
１１　筒状体
１１１　太径部
１１２　細径部
１１３　下端部
１１４　上端部
１１５　中間部
１２　収納庫
２　取っ手部
２１　収納庫
２２　取っ手の下部
３　石突き
４　接続手段
４１　ナット状体
４２　ボルト状体
４３　外側のネジ部
４４　内側のネジ部
５　連結手段
５１　係止部Ａ
５２　紐状体
５３　係止部Ｂ
６　座部
６１　幕状体
６２　掛止部
７　小さく波打つ曲面
７１　軸方向に平行な曲面
７２　角度を持った曲面
７２１　補強
７２２　補強
【図１】
2004049767.tif 000003
【図２】
2004049767.tif 000004
【図３】
2004049767.tif 000005
【図４】
2004049767.tif 000006
【図５】
2004049767.tif 000007
【図６】
2004049767.tif 000008
【図７】
2004049767.tif 000009